(57)【要約】【課題】通勤拠点から所定移動時間内に通勤できる求人勤務地に係る求人情報を出力する求人情報検索システムを提供する。【解決手段】携帯電話２で通勤拠点とする住所が入力されると、ＧＩＳサーバ１４により、緯度ｘと経度ｙとで構成される通勤拠点絶対位置Ａが割り出される。さらに、この通勤拠点絶対位置Ａを中心に配した検索対象領域Ｓが生成される。また、データベースサーバ１５により、検索対象領域Ｓ上に存在する求人勤務地絶対位置Ｂが抽出される。さらに、ＧＩＳサーバ１４により、抽出された求人勤務地絶対位置Ｂまで、通勤拠点絶対位置Ａから所定の移動手段で設定通勤時間内に移動できるか否かが検証され、移動可能なものが選定される。そして、このようにして選定された求人勤務地に係る求人情報が、携帯電話２で出力される。【選択図】図１
2008090614.tif 000002
【特許請求の範囲】
【請求項１】
人材募集中の求人勤務地のうち、所望の通勤拠点から所定時間内に通勤できる求人勤務地を選定し、選定した求人勤務地の求人情報を、インターネットに接続可能な携帯電話の表示画面で表示する求人情報検索システムであって、
求人勤務地の住所と募集内容とを具備する求人情報が記憶された求人情報記憶手段と、
地図情報と地図情報上の地点の住所とを関係付けたＧＩＳ情報を記憶するＧＩＳ情報記憶手段と、
所望の通勤拠点の住所を入力することができると共に、求人情報を出力することができる表示画面を具備した携帯電話と、
求人勤務地の住所、及びインターネットを介して携帯電話から入力された通勤拠点の住所から、緯度と経度とで構成される求人勤務地絶対位置、及び通勤拠点絶対位置をＧＩＳ情報により割り出す絶対位置生成制御手段と、
割り出された通勤拠点絶対位置を含む所定面積の検索対象領域を生成する検索対象領域生成制御手段と、
求人情報記憶手段に記憶された求人勤務地のうち、生成された検索対象領域上に存在する求人勤務地絶対位置に係る求人勤務地を抽出する求人勤務地抽出制御手段と、
抽出された求人勤務地のうち、前記通勤拠点から所定の移動速度で所定の移動時間内に移動することができる求人勤務地をＧＩＳ情報により選定する通勤可能勤務地選定制御手段と、
選定された求人勤務地に対応した求人情報を、インターネットを介して携帯電話に送信し、当該携帯電話の表示画面で表示させる求人情報表示制御手段と
を備えたことを特徴とする求人情報検索システム。
【請求項２】
通勤拠点から求人勤務地までの移動手段として、徒歩、自転車、及び自動車のうち少なくともいずれかを携帯電話の表示画面で選択可能とする移動手段選択制御手段を備え、各移動手段に特定の移動速度が定められていると共に、
検索対象領域生成制御手段は、
移動手段として徒歩が選択されると徒歩用検索対象領域を、自転車が選択されると自転車用検索対象領域を、自動車が選択されると自動車用検索対象領域を、徒歩用検索対象領域の面積が最小で、かつ自動車用検索対象領域の面積が最大となるように、それぞれ生成するものであり、
求人勤務地抽出制御手段は、
求人情報記憶手段に記憶された求人勤務地のうち、生成された検索対象領域上に存在する求人勤務地絶対位置に係る求人勤務地を抽出するものであり、
通勤可能勤務地選定制御手段は、
抽出された求人勤務地のうち、選択された移動手段に係る移動速度で所定の移動時間内に移動することができる求人勤務地を選定するものであることを特徴とする請求項１記載の求人情報検索システム。
【請求項３】
携帯電話は、
駅又はバス停等の乗物乗降位置を複数具備した鉄道路線又はバス路線等の乗物路線内から、互いに異なる第一乗物乗降位置と第二乗物乗降位置とを選択することにより、少なくとも該第一乗物乗降位置及び該第二乗物乗降位置の各住所を、通勤拠点の住所として入力することができるものであり、
絶対位置生成制御手段は、
入力された各通勤拠点の住所から、第一通勤拠点絶対位置及び第二通勤拠点絶対位置をそれぞれ割り出すものであり、
検索対象領域生成制御手段は、
第一通勤拠点絶対位置を含む第一検索対象領域と、第二通勤拠点絶対位置を含む第二検索対象領域とを各々生成するものであり、
求人勤務地抽出制御手段は、
両検索対象領域上に存在する求人勤務地を抽出するものであり、
通勤可能勤務地選定制御手段は、
第一検索対象領域で、第一乗物乗降位置から所定の移動速度で所定の移動時間内に移動することができる求人勤務地を選定すると共に、第二検索対象領域で、第二乗物乗降位置から所定の移動速度で所定の移動時間内に移動することができる求人勤務地を選定するものであることを特徴とする請求項１又は請求項２記載の求人情報検索システム。
【請求項４】
第一乗物乗降位置と第二乗物乗降位置との間に単数又は複数の乗物乗降位置がある構成にあって、
携帯電話は、
第一乗物乗降位置と第二乗物乗降位置との間にある乗物乗降位置の住所を、通勤拠点の住所として入力することができるものであり、
絶対位置生成制御手段は、
入力された各通勤拠点の住所から、複数の通勤拠点絶対位置をそれぞれ割り出すものであり、
検索対象領域生成制御手段は、
各通勤拠点絶対位置に基づき、複数の検索対象領域を生成するものであり、
求人勤務地抽出制御手段は、
生成されたすべての検索対象領域について、検索対象領域上に存在する求人勤務地を抽出するものであり、
通勤可能勤務地選定制御手段は、
各検索対象領域で、各乗物乗降位置から所定の移動速度で所定の移動時間内に移動することができる求人勤務地を選定するものであることを特徴とする請求項３記載の求人情報検索システム。
【請求項５】
求人情報表示制御手段は、
選定された求人勤務地に係る求人情報を、通勤拠点から求人勤務地までの移動時間に基づき順序付けして携帯電話の表示画面で表示させるものであることを特徴とする請求項１乃至請求項４のいずれかに記載の求人情報検索システム。
【発明の詳細な説明】
【技術分野】
【０００１】
本発明は、求人情報をインターネットに接続可能な携帯電話で検索することができる求人情報検索システムに関する。
【背景技術】
【０００２】
従来インターネットを使って求人情報を検索する場合は、求職者が、希望する職種、給与、又は勤務地区等の条件を求人サイト上で絞り込み検索し、その検索結果から条件に合致するものを探していた（例えば、特許文献１参照）。例えば、希望の勤務地区から所望の求人情報を得るには、次のような手順で行われていた。
【０００３】
まず、求職者は、通勤拠点（例えば自宅）から通勤できそうな勤務地区の候補を挙げると共に、求人サイトにおける複数の地区名が画面上に一覧表示された画面上で、候補として挙げた地区を選択（クリック）する。そうすると、その選択した地区内で人材募集している勤務地の求人情報が表示される。例えば具体例を挙げると、画面上に、昭和区、中区、千種区、東区…等の区名が列挙されており、そのうち昭和区内の勤務地を希望する場合は、画面上の「昭和区」を選択して昭和区内を勤務地とする求人情報を出力させる。かかる手順により、希望地区の求人情報を得ることが可能となる。なお、勤務可能な候補地区が複数ある場合は、再度、区名が一覧表示されるページに戻り、別の区を選択してその地区の求人情報を出力させることとなる。
【０００４】
【特許文献１】特開２００６-１８５２５６号公報
【発明の開示】
【発明が解決しようとする課題】
【０００５】
しかしながら、上記従来構成にあって、通勤拠点から通勤できそうな勤務地が多数ある場合は、その全ての地区を順次選択して、地区ごとに求人情報をひとつひとつ表示して希望の職を探し出す必要があった。このような検索態様は、画面を総て表示させるのに時間及び手間が非常にかかり、大変面倒で多大な労力を要する作業であった。また、通勤拠点と同じ区内にある求人勤務地を勤務先としたものの、その地区が想像以上に広く、通勤時間（移動時間）が事前に想定していたよりもはるかに長かったという不測の事態が生じてしまうこともあった。また、通勤可能な地区を候補として挙げるには、地区の位置関係、利用可能な交通網等を十分に把握しておく必要があり、その地域周辺に対していわゆる土地感を有していなければならなかった。したがって、馴染みのない地域で職を探す場合には、特に上述した問題が生じやすく、通勤拠点のある地区の勤務先よりもかえって隣の地区にある勤務先の方が楽に通勤できた、という事態も十分に考えられた。
【０００６】
そこで、本発明は、上記問題を解消することができる求人検索システムを提供することを目的とするものである。
【課題を解決するための手段】
【０００７】
本発明は、人材募集中の求人勤務地のうち、所望の通勤拠点から所定時間内に通勤できる求人勤務地を選定し、選定した求人勤務地の求人情報を、インターネットに接続可能な携帯電話の表示画面で表示する求人情報検索システムであって、
求人勤務地の住所と募集内容とを具備する求人情報が記憶された求人情報記憶手段と、
地図情報と地図情報上の地点の住所とを関係付けたＧＩＳ情報を記憶するＧＩＳ情報記憶手段と、
所望の通勤拠点の住所を入力することができると共に、求人情報を出力することができる表示画面を具備した携帯電話と、
求人勤務地の住所、及びインターネットを介して携帯電話から入力された通勤拠点の住所から、緯度と経度とで構成される求人勤務地絶対位置、及び通勤拠点絶対位置をＧＩＳ情報により割り出す絶対位置生成制御手段と、
割り出された通勤拠点絶対位置を含む所定面積の検索対象領域を生成する検索対象領域生成制御手段と、
求人情報記憶手段に記憶された求人勤務地のうち、生成された検索対象領域上に存在する求人勤務地絶対位置に係る求人勤務地を抽出する求人勤務地抽出制御手段と、
抽出された求人勤務地のうち、前記通勤拠点から所定の移動速度で所定の移動時間内に移動することができる求人勤務地をＧＩＳ情報により選定する通勤可能勤務地選定制御手段と、
選定された求人勤務地に対応した求人情報を、インターネットを介して携帯電話に送信し、当該携帯電話の表示画面で表示させる求人情報表示制御手段と
を備えたことを特徴とする求人情報検索システムである。
【０００８】
かかる構成にあって、求職者が携帯電話を使って通勤拠点の住所を入力すると、該通勤拠点から予め設定された時間内に通勤できる範囲内にある求人勤務地が選定され、該求人勤務地の求人情報のみが出力されることとなる。すなわち、通勤拠点や人材募集中の求人勤務地が、どの地区（都道府県、又は市町村区等）に存在しているか、ということには一切検索過程で考慮されない。したがって、仮にα地区とβ地区との境界付近に通勤拠点を設定した場合であっても、本発明に係るシステムによれば、各地区ごとにひとつひとつ求人情報を確認する必要無く、人材募集中の求人勤務地のうち、求職者が通勤できる求人勤務地が直ちに検索結果として出力される。なお、上述のように、求人勤務地の選定過程にあっては、ＧＩＳ情報を用いて、緯度と経度とからなる絶対位置に基づき抽出し、かつ通勤拠点から求人勤務地までの移動につき、移動速度及び移動時間を考慮して選定するため、通勤拠点から求人勤務地までの通勤時間について非常に信頼性が高く、実際の通勤時間との誤差が極めて少ない。
【０００９】
ここで、求人勤務地とは、人材募集している職場であって、求職者が雇用された場合に実際に通勤することとなる場所をいう。ここで、求人勤務地の住所と、人材募集している会社の所在地とは常に一致するわけではない。例えば、本社はＡ地にあるが、Ｂ地にある支社で人材募集をしている場合は、人材募集している会社の所在地と求人勤務地の住所とが一致しない。また、求人勤務地には、事業所などの建物が存在する場合もあるし、駐車場や道路、又は開拓工事現場や山地などのように建物が存在しない場合もある。また、地図情報には、画像情報と緯度経度の情報とが含まれる。なお、上述のＧＩＳ情報を記憶するＧＩＳ情報記憶手段としては、公知の地理情報システム（Geographical Information System）を備えたサーバ等が好適に採用され得る。
【００１０】
また、上記構成にあって、通勤拠点から求人勤務地までの移動手段として、徒歩、自転車、及び自動車のうち少なくともいずれかを携帯電話の表示画面で選択可能とする移動手段選択制御手段を備え、各移動手段に特定の移動速度が定められていると共に、
検索対象領域生成制御手段は、
移動手段として徒歩が選択されると徒歩用検索対象領域を、自転車が選択されると自転車用検索対象領域を、自動車が選択されると自動車用検索対象領域を、徒歩用検索対象領域の面積が最小で、かつ自動車用検索対象領域の面積が最大となるように、それぞれ生成するものであり、
求人勤務地抽出制御手段は、
求人情報記憶手段に記憶された求人勤務地のうち、生成された検索対象領域上に存在する求人勤務地絶対位置に係る求人勤務地を抽出するものであり、
通勤可能勤務地選定制御手段は、
抽出された求人勤務地のうち、選択された移動手段に係る移動速度で所定の移動時間内に移動することができる求人勤務地を選定するものである構成が提案される。
【００１１】
かかる構成とすることにより、移動手段の内容に対応して、適正な通勤時間が考慮された求人勤務地が選定されることとなる。例えば、通勤時間を１５分以内とすると共に、徒歩の移動速度を時速４ｋｍ、自動車の移動速度を時速３０ｋｍとした場合、移動手段として徒歩が選択されると通勤拠点からおよそ１ｋｍ以内にある求人勤務地が選定され、自動車が選択されるとおよそ７．５ｋｍ以内にある求人勤務地が選定される。したがって、移動速度の速い移動手段を選択した場合には、より広い範囲から求人勤務地が選定されることとなり、勤務先の決定につき選択範囲が広がることとなる。
【００１２】
また、携帯電話は、
駅又はバス停等の乗物乗降位置を複数具備した鉄道路線又はバス路線等の乗物路線内から、互いに異なる第一乗物乗降位置と第二乗物乗降位置とを選択することにより、少なくとも該第一乗物乗降位置及び該第二乗物乗降位置の各住所を、通勤拠点として入力することができるものであり、
絶対位置生成制御手段は、
入力された各通勤拠点の住所から、第一通勤拠点絶対位置及び第二通勤拠点絶対位置をそれぞれ割り出すものであり、
検索対象領域生成制御手段は、
第一通勤拠点絶対位置を含む第一検索対象領域と、第二通勤拠点絶対位置を含む第二検索対象領域とを各々生成するものであり、
求人勤務地抽出制御手段は、
両検索対象領域上に存在する求人勤務地を抽出するものであり、
通勤可能勤務地選定制御手段は、
第一検索対象領域で、第一乗物乗降位置から所定の移動速度で所定の移動時間内に移動することができる求人勤務地を選定すると共に、第二検索対象領域で、第二乗物乗降位置から所定の移動速度で所定の移動時間内に移動することができる求人勤務地を選定するものである構成としても良い。
【００１３】
かかる構成とすることにより、所定の乗物路線の乗物乗降位置を通勤拠点として、該乗物乗降位置から所定時間内に通勤できる求人勤務地が選定されることとなる。これにより、前記乗物路線を活用して通勤できることとなるため、通勤の利便性が向上すると共に、一度に複数の通勤拠点を設定することができ、広い範囲で通勤可能な求人勤務地を検索することが可能となる。
【００１４】
また、第一乗物乗降位置と第二乗物乗降位置との間に単数又は複数の乗物乗降位置がある構成にあって、
携帯電話は、
第一乗物乗降位置と第二乗物乗降位置との間にある乗物乗降位置の住所を、通勤拠点の住所として入力することができるものであり、
絶対位置生成制御手段は、
入力された各通勤拠点の住所から、複数の通勤拠点絶対位置をそれぞれ割り出すものであり、
検索対象領域生成制御手段は、
各通勤拠点絶対位置に基づき、複数の検索対象領域を生成するものであり、
求人勤務地抽出制御手段は、
生成されたすべての検索対象領域について、検索対象領域上に存在する求人勤務地を抽出するものであり、
通勤可能勤務地選定制御手段は、
各検索対象領域で、各乗物乗降位置から所定の移動速度で所定の移動時間内に移動することができる求人勤務地を選定するものである構成としても良い。
【００１５】
かかる構成とすることにより、第一乗物乗降位置と第二乗物乗降位置との間にある乗物乗降位置も通勤拠点として求人勤務地を選定することが可能となり、一層当該乗物路線の有用性が向上することとなる。
【００１６】
また、求人情報表示制御手段は、
選定された求人勤務地に係る求人情報を、通勤拠点から求人勤務地までの移動時間に基づき順序付けして携帯電話の表示画面で表示させるものである構成が提案される。
【００１７】
かかる構成とすることにより、求職者は、移動時間の負担を考慮しながら通勤しやすい勤務先を選定することが可能となる。
【発明の効果】
【００１８】
本発明に係る求人情報検索システムは、ＧＩＳ情報に基づき通勤拠点絶対位置及び求人勤務地絶対位置を生成し、該通勤拠点絶対位置及び求人勤務地絶対位置に基づいて所望の通勤拠点から所定時間内に通勤可能な求人勤務地の求人情報を出力する構成であるため、確実かつ迅速に、所定時間内に通勤可能な求人勤務地の求人情報を求職者に提供することができる効果がある。また、通勤拠点の住所は求職者が入力することができるため、求職者の行動範囲に合わせて職探しをすることができる効果がある。
【００１９】
また、移動手段として、徒歩、自転車、及び自動車のうち少なくともいずれかを選択可能とし、各々に特定の移動速度が定められていると共に、各移動手段ごとに検索対象領域の面積を変更する構成とした場合は、移動手段の内容に即して適正な範囲から求人勤務地を検索することが可能となる効果がある。
【００２０】
また、乗物路線内から第一、第二乗物乗降位置を選択することにより、第一、第二乗物乗降位置の各住所を通勤拠点として入力することができる構成とした場合は、当該乗物路線の乗物乗降位置を通勤拠点として通勤可能な求人勤務地を選定することが可能となり、通勤の利便性が向上すると共に、一度に複数の通勤拠点を設定することができ、広い範囲で通勤可能な求人勤務地を検索することが可能となる利点がある。
【００２１】
さらに、第一、第二乗物乗降位置との間にある乗物乗降位置の住所を通勤拠点として入力することができる構成とした場合は、当該乗物路線の乗物乗降位置を通勤拠点として通勤可能な求人勤務地を選定することが可能となり、さらに当該乗物路線の有用性が向上する効果がある。
【００２２】
また、求人情報を、移動時間に基づいて順序付けして表示する構成とした場合は、求職者が通勤時間を考慮しながら勤務先を決定することができる効果がある。
【発明を実施するための最良の形態】
【００２３】
本発明に係る求人情報検索システム１の実施例を添付図面に従って説明する。
求人情報検索システム１は、図１に示されるように、インターネット５を利用するシステムであって、求職者がインターネット５に接続可能な携帯電話２で当該システム１に係る求人サイトにアクセスし、検索結果として求人情報を当該携帯電話２で確認することができるものである。なお、本システム１は、求職者が自ら設定した通勤拠点から１５分以内に通勤できる求人勤務地に係る求人情報が得られることを特徴としている。
【００２４】
求人情報検索システム１のネットワーク構成について以下説明する。
図１に示されるように、求人情報検索システム１は、複数のサーバ１１〜１６を具備している。具体的には、携帯電話向コンテンツ変換サーバ１１、携帯コンテンツウェブアプリケーションサーバ１２、管理システムウェブアプリケーションサーバ１３、ＧＩＳサーバ１４、データベースサーバ１５、及び地図画像作成サーバ１６を具備している。そして、これらのサーバ１１〜１６により、データセンタ９が構成されている。なお、各サーバ１１〜１６は、それぞれＬＡＮ接続されている。
【００２５】
携帯電話向コンテンツ変換サーバ１１は、公知のファイアウォール１０を介してインターネット５に接続されている。そして、この携帯電話向コンテンツ変換サーバ１１は、携帯電話２からインターネット５を介してウェブサイトが呼び出された場合に応答すると共に、各サーバ１２〜１６から送信されたデータを受信し、該データを携帯電話２の表示画面３０（図６等参照）で表示可能なデータに処理加工して携帯電話２に送信する機能を具備している。なお、この携帯電話向コンテンツ変換サーバ１１は、公知技術が好適に適用されうる。
【００２６】
また、携帯電話向コンテンツ変換サーバ１１には、ＬＡＮを介して携帯コンテンツウェブアプリケーションサーバ１２、管理システムウェブアプリケーションサーバ１３、ＧＩＳサーバ１４、データベースサーバ１５、及び地図画像作成サーバ１６が接続されている。
【００２７】
前記携帯コンテンツウェブアプリケーションサーバ１２は、携帯電話２の表示画面３０で携帯電話用ウェブアプリケーションを実行させる機能を備えている。なお、この携帯コンテンツウェブアプリケーションサーバ１２は、公知技術が好適に適用されうる。
【００２８】
また、前記管理システムウェブアプリケーションサーバ１３は、当該携帯電話用コンテンツを統括的に管理する機能を備えている。例えば、ホームページのアクセスカウントなどを管理する。なお、この管理システムウェブアプリケーションサーバ１３は、公知技術が好適に適用されうる。
【００２９】
また、前記ＧＩＳサーバ１４は、公知のＧＩＳ（地理情報システム）が格納されてなるものであって、図１５に示されるように、住所位置情報（ＧＩＳ情報）が記憶されている。ここで、この住所位置情報とは、地図情報と地図情報上の地点の住所（市区町村、町域、地番）とを関連付けた情報である。また、このＧＩＳサーバ１４には、経路データも記憶されている。この経路データは、道路の始点・終点の絶対位置、自動車の通行可否情報、所定移動手段における移動平均速度等の情報が保持されている。また、このＧＩＳサーバ１４は、地図情報上の地点の住所に基づいてその絶対位置を割り出す制御内容を具備している。ここで、絶対位置は、緯度ｘと経度ｙとで表される絶対的な位置である。さらに、このＧＩＳサーバ１４は、後述の通勤拠点絶対位置Ａを中心に配した検索対象領域Ｓ（図１６参照）を生成する制御内容も具備している。なお、前記したＧＩＳサーバ１４の制御内容は、それぞれ後で詳述する。
【００３０】
また、前記データベースサーバ１５は、図１５に示されるように、顧客マスタ、広告データ、駅バス停マスタ、路線マスタ、路線データ、職種分類マスタ、及び到達圏基準マスタが記憶されている。ここで、顧客マスタは、求人企業の名称、求人企業の所在地、求人勤務地の住所、連絡先等の情報が保持されている。また、広告データは、各求人企業の募集内容の情報が保持されている。また、駅バス停マスタは、駅名及びバス停名の情報が保持されている。また、路線マスタは、鉄道路線名及びバス路線名の情報が保持されている。また、路線データは、鉄道路線ごとの駅順及びバス路線ごとのバス停順の情報が保持されている。また、職種分類マスタは、前記募集内容の職種分類の項目（大分類、小分類、業態）の情報が保持されている。また、到達圏基準マスタは、移動手段ごとの移動平均速度（移動速度）、予め定めた設定通勤時間の情報が保持されている。本実施例では、徒歩の移動平均速度を時速４ｋｍとし、自転車の移動平均速度を時速１５ｋｍとし、自動車の移動平均速度を時速３０ｋｍとしている。また、設定通勤時間を１５分としている。
【００３１】
また、地図画像作成サーバ１６は、図１５に示されるように、地図画像データが記憶されている。この地図画像データは、各地点の地図情報が縮尺ごとに保持されている。
【００３２】
なお、図１に示されるように、上記サーバ１１〜１６には、ルータ１７及び社内専用通信網８を介して、クライアントＰＣ（企業内端末）２０が接続されている。そして、このクライアントＰＣ２０からデータベースサーバ１５にアクセスして、データベースサーバ１５に記憶されている求人情報等のデータを削除又は修正したり、新たにデータを追加したりなどすることができるように設定されている。かかる構成にあって、クライアントＰＣ２０から人材募集中の求人勤務地の住所を求人情報として入力した場合は、この住所データは一旦ＧＩＳサーバ１４に送信される。そして、ＧＩＳサーバ１４は、入力された住所データから緯度ｘ及び経度ｙで構成される求人勤務地絶対位置Ｂを割り出し、この求人勤務地絶対位置Ｂのデータをデータベースサーバ１５に送信する。これにより、データベースサーバ１５には、求人勤務地の住所が絶対位置として表された求人勤務地絶対位置Ｂのデータが記憶されていることとなる。
【００３３】
これまでに述べた求人情報検索システム１にあって、携帯電話２から種々の情報がインターネット５を介して入力されると、入力された情報が携帯電話向コンテンツ変換サーバ１１を中継して、上記各サーバ１２〜１６に適宜送信される。一方、入力された情報を受信したサーバ１２〜１６は、その情報に基づいて所定の情報処理を実行し、処理後の情報を携帯電話向コンテンツ変換サーバ１１に送信して、携帯電話向コンテンツ変換サーバ１１が当該携帯電話２の表示画面３０に当該情報を出力表示させる。
【００３４】
次に、携帯電話２の表示画面３０で表示される画面内容等について説明する。
求職者が、インターネット５に接続可能な携帯電話２で求人情報検索システム１に係る求人サイトにアクセスすると、携帯電話向コンテンツ変換サーバ１１は、携帯電話２からのウェブサイトの呼び出しに応答して、携帯電話２の表示画面３０にいわゆるトップ画面４１（図２参照）を表示する。このトップ画面４１からは、検索方法を説明する説明ページ４２及び検索方法が各々異なる複数の検索画面４３〜４７へ移行可能となっている。なお、前記説明ページ４２は、検索方法がわからない者を対象にした検索手順を説明する補助的なページである。
【００３５】
次に求職者は、トップ画面４１から前記検索画面４３〜４７のいずれかを表示させる。そして、表示させた検索画面４３〜４７の入力手順に従って、所望の通勤拠点の住所を入力する。以下、通勤拠点の住所入力を、住所検索画面４３を例にして説明する。
【００３６】
住所検索画面４３は、図６，７に示されるように、複数の入力画面で構成されており、最初に、図６に示されるような郵便番号を入力することが可能な画面が表示される。そして、求職者が所定の入力箇所に通勤拠点とする住所の郵便番号を入力すると、次に、図７に示されるような都道府県から番地・号までの住所を文字入力することが可能な画面が表示される。さらに、この画面では、求職者が予定している通勤拠点から勤務地までの移動手段を選択的に入力することが可能となっている。具体的には、移動手段として、徒歩、自転車、及び自動車が選択肢として設定されている。
【００３７】
そして、求職者が通勤拠点とする住所を入力し、さらに移動手段を選択して画面内の「検索」部分をクリックすると、該入力（選択）した情報がインターネット５を介してデータセンタ９の携帯コンテンツウェブアプリケーションサーバ１２に送信される。
【００３８】
さらに、入力された情報はＧＩＳサーバ１４に送信され、当該ＧＩＳサーバ１４は、予め記憶保持された住所位置情報（ＧＩＳ情報）により、送信された通勤拠点の住所から通勤拠点絶対位置Ａを割り出す。これにより、携帯電話２から入力された通勤拠点の住所が、緯度ｘ及び経度ｙからなる絶対位置で表されることとなる。
【００３９】
さらに、ＧＩＳサーバ１４は、通勤拠点絶対位置Ａと携帯電話２で入力された移動手段とに基づき、図１６に示されるような、検索対象領域Ｓを生成する。この検索対象領域Ｓは、前記通勤拠点絶対位置Ａが中心に配され、かつ緯度ｘと経度ｙとが内在した正方形の二次元領域により構成されている。ここで、この検索対象領域Ｓの面積（サイズ）は、入力された移動手段の内容によって変わってくる。例えば、上記住所入力画面（図７参照）上で求職者が移動手段として徒歩を選択した場合は、ほぼ６．７６ｋｍ２の徒歩用検索対象領域Ｓが生成される。また、自転車が選択された場合は、ほぼ９２．２ｋｍ２に相当する自転車用検索対象領域Ｓが生成され、自動車が選択された場合は、ほぼ３８０ｋｍ２に相当する自動車用検索対象領域Ｓが生成される。したがって、その面積につき、
徒歩用検索対象領域Ｓ＜自転車用検索対象領域Ｓ＜自動車用検索対象領域Ｓ
の大小関係が成立している。
【００４０】
ここで、検索対象領域Ｓの生成過程についてさらに詳述すると、移動手段ごとに通勤拠点絶対位置Ａから検索対象領域Ｓの外縁までの長さである基準長さｄ（図１６参照）が各々設定されており、通勤拠点絶対位置Ａが割り出されると、この通勤拠点絶対位置から東西南北方向にそれぞれ前記基準長さｄだけ拡張された正方形の検索対象領域Ｓが形成される。具体的には、移動手段「徒歩」における基準長さｄは１．３ｋｍ（１５分で移動できる距離の１．３倍）と設定されており、移動手段として徒歩が選択された場合、通勤拠点絶対位置Ａから東西南北方向にそれぞれ１．３ｋｍだけ領域拡張されてなる徒歩用検索対象領域Ｓを生成する。また、「自転車」における基準長さｄは４．８ｋｍと設定されており、移動手段として自転車が選択された場合、通勤拠点絶対位置Ａから東西南北方向にそれぞれ４．８ｋｍだけ領域拡張されてなる自転車用検索対象領域Ｓを生成する。また、「自動車」における基準長さｄは９．７５ｋｍと設定されており、移動手段として自動車が選択された場合、通勤拠点絶対位置Ａから東西南北方向にそれぞれ９．７５ｋｍだけ領域拡張されてなる自動車用検索対象領域Ｓを生成する。
【００４１】
次に、上述の制御内容を実行したＧＩＳサーバ１４は、生成した検索対象領域Ｓ上に、人材募集している求人勤務地が存在しているか否かをデータベースサーバ１５に問い合わせる。そうすると、データベースサーバ１５は、緯度ｘ及び経度ｙで特定される検索対象領域Ｓ上に存在する求人勤務地絶対位置Ｂを、予め記憶されている求人勤務地絶対位置Ｂのなかから抽出する。具体的には、図１６に示されるように、人材募集している求人勤務地に係る求人勤務地絶対位置Ｂ１〜Ｂ７のうち、求人勤務地絶対位置Ｂ１，Ｂ２，Ｂ４，Ｂ５，Ｂ６が抽出される。
【００４２】
そして、データベースサーバ１５は、抽出した求人勤務地絶対位置Ｂのデータと、当該求人勤務地絶対位置Ｂに係る求人勤務地の広告データとをＧＩＳサーバ１４に送信する。
【００４３】
抽出された求人勤務地絶対位置Ｂのデータを受信したＧＩＳサーバ１４は、検索対象領域Ｓ上の実際の移動経路に従って、選択された移動手段で設定通勤時間内（１５分以内）に、通勤拠点絶対位置Ａから求人勤務地絶対位置Ｂへ到達することができるか否かを、抽出された求人勤務地絶対位置Ｂごとに検証する。具体的には、図１６に示される例にあって、求人勤務地絶対位置Ｂ１，Ｂ２，Ｂ４，Ｂ５は、前記条件内で通勤可能であるため、携帯電話２に出力する求人勤務地として選定する。一方、求人勤務地絶対位置Ｂ６は、交通の利便性が悪く、設定通勤時間内で通勤することができないため、携帯電話２に出力する求人勤務地としては除外されることとなる。このようにして、抽出された求人勤務地のなかから適正な求人勤務地を選定する。
【００４４】
そして、ＧＩＳサーバ１４は、選定した求人勤務地に係る広告データ（すなわち、募集内容等の求人情報）を携帯コンテンツウェブアプリケーションサーバ１２に送信する。そして、携帯コンテンツウェブアプリケーションサーバ１２は、携帯電話向コンテンツ変換サーバ１１を介して、携帯電話２の表示画面３０に出力させる。
【００４５】
携帯電話２では、図３に示されるような、検索が終了したことを示す検索結果画面４８が表示される。そして、次に検索結果一覧画面４９を表示させると、通勤拠点から通勤可能な求人勤務地の求人情報が出力される（図８参照）。具体的には、求人勤務地絶対位置Ｂ１，Ｂ２，Ｂ４，Ｂ５に係る求人情報が表示される。ここで、図１６に示されるように、求人勤務地絶対位置Ｂ５，Ｂ６はα区に存在し、求人勤務地絶対位置Ｂ４はβ区に存在し、求人勤務地絶対位置Ｂ１，Ｂ２はγ区に存在している。したがって、通勤拠点はα区に存在しているが、区名に関わらず所定時間内に通勤可能であるか否かという観点で検索されている。かかる場合では、α区の通勤拠点から最も近い求人勤務地は、隣のγ区であって境界線６０に近い位置に存在していたこととなる。
【００４６】
なお、図８に示されるように、出力する求人情報を、通勤時間が短いものから順に並べて表示する構成が好適である。かかる構成とすることにより、求職者は、通勤時間が短い求人情報から確認していくことが可能となる。なお、本実施例では、求人情報を順序付けしてから表示画面３０で表示させる処理を、携帯コンテンツウェブアプリケーションサーバ１２及び携帯電話向コンテンツ変換サーバ１１で行うようにしている。ところで、このように序列して表示する具体的な態様としては、様々な序列態様が提案され得る。
【００４７】
次に、住所検索画面４３以外の画面を用いて検索する方法について説明する。
図２に示されるように、住所検索画面４３のほかには、駅検索画面４４、路線検索画面４５、バス停検索画面４６、及びバス路線検索画面４７が設定されている。
【００４８】
駅検索画面４４は、図１０に示される選択トップ画面と、図１１に示される駅名入力画面とで構成されている。そして、駅名を直接入力又は選択することにより、当該駅の住所が通勤拠点の住所として入力されることとなる。したがって、検索結果は、入力した駅から１５分以内に通勤できる求人勤務地が出力されることとなる。なお、バス停検索画面４６も同様であり、入力したバス停を通勤拠点として、求人勤務地が選定されることとなる。
【００４９】
路線検索画面４５は、図１２〜図１４に示される路線・駅名入力画面で構成されている。
求職者は、一覧表示される鉄道路線（乗物路線）のなかから、通勤に使用したい路線を選択する。そうすると、図１３に示される画面に移行し、選択した路線の駅名が一覧表示される。ここで、求職者は、一覧表示された駅名のなかから、始点となる駅名を選択する。さらに、図１４に示される画面に移行し、当該路線の駅名が一覧表示され、終点となる駅名が選択可能となる。そして、求職者が終点の駅名を選択すると、選択した駅名情報が送信される。なお、かかる検索方法にあっては、駅から勤務地までの移動手段は、自動的に徒歩が選択されるように設定されている。
【００５０】
携帯電話２から送信された情報は、データベースサーバ１５が受信し、選択された駅名情報に基づき、始点として選択された駅（以下、始点駅という。）の住所、終点として選択された駅（以下、終点駅という。）の住所、及び始点駅と終点駅の間にある中間駅の住所をそれぞれ割り出す。そして、これらの住所情報をＧＩＳサーバ１４に送信する。
【００５１】
そして、ＧＩＳサーバ１４が住所情報を受信すると、始点駅の住所から始点通勤拠点絶対位置Ａを割り出し、終点駅の住所から終点通勤拠点絶対位置Ａを割り出し、さらに、中間駅の住所から中間通勤拠点絶対位置Ａを割り出す。
【００５２】
さらに、ＧＩＳサーバ１４は、始点通勤拠点絶対位置Ａが中心に配された、徒歩検索対象領域と同面積の始点駅検索対象領域Ｓを生成する。また、終点通勤拠点絶対位置Ａに基づき終点駅検索対象領域Ｓを生成し、中間通勤拠点絶対位置Ａに基づき中間駅検索対象領域Ｓを生成する。
【００５３】
次に、データベースサーバ１５は、上述のように、生成した各検索対象領域Ｓ上にある求人勤務地絶対位置Ｂを抽出し、抽出した求人勤務地絶対位置Ｂのデータと、当該求人勤務地絶対位置Ｂに係る求人勤務地の広告データとをＧＩＳサーバ１４に送信する。
【００５４】
抽出された求人勤務地絶対位置Ｂのデータを受信したＧＩＳサーバ１４は、各検索対象領域Ｓごとに、徒歩で１５分以内に通勤可能かどうかを検証する。具体的には、始点駅検索対象領域Ｓ上で抽出された求人勤務地絶対位置Ｂに対し、始点通勤拠点絶対位置Ａから徒歩で１５分以内に到達できるか否かを、終点駅検索対象領域Ｓ上で抽出された求人勤務地絶対位置Ｂに対し、終点通勤拠点絶対位置Ａから同条件で到達できるか否かを、中間駅検索対象領域Ｓ上で抽出された求人勤務地絶対位置Ｂに対し、中間通勤拠点絶対位置Ａから同条件で到達できるか否かを、それぞれ検証する。そして、抽出された求人勤務地のなかから適正な求人勤務地を選定する。
【００５５】
次に、ＧＩＳサーバ１４は、選定した求人勤務地に係る広告データを携帯コンテンツウェブアプリケーションサーバ１２に送信し、携帯コンテンツウェブアプリケーションサーバ１２は、該情報を携帯電話２の表示画面３０に出力させる。
【００５６】
このようにして勤務先を検索すると、路線を有効に活用することができる。さらに、一度に複数の通勤拠点を設定することができ、広い範囲で通勤可能な求人勤務地を検索することが可能となる。
【００５７】
なお、前記の始点駅により、本発明に係る第一乗物乗降位置が構成され、前記の終点駅により、本発明に係る第二乗物乗降位置が構成される。
また、前記始点通勤拠点絶対位置Ａにより、本発明に係る第一通勤拠点絶対位置が構成される。また、前記終点通勤拠点絶対位置Ａにより、本発明に係る第二通勤拠点絶対位置が構成される。また、前記始点駅検索対象領域Ｓにより、本発明に係る第一検索対象領域が構成される。また、前記終点駅検索対象領域Ｓにより、本発明に係る第二検索対象領域が構成される。
【００５８】
なお、上記構成にあって、始点駅と終点駅とが隣り合う駅である場合は、始点駅と終点駅の二つの駅のみが通勤拠点となり、それぞれ二つの検索対象領域Ｓが生成されて、各駅から１５分以内に通勤できる求人勤務地が選定されることとなる。
【００５９】
なお、バス路線検索画面４７の検索手順については、路線検索画面４５の検索手順と同様であるため、説明を省略する。
【００６０】
ところで、図３に示されるように、検索結果一覧画面４９で表示される情報よりもさらに詳しい情報が知りたい場合は、広告詳細情報画面５１に移行する。そうすると、図９に示されるような給与等の情報が確認できる。さらに、広告詳細情報画面５１にあって、当該求人勤務地周辺の地図を表示させたい場合は、ＭＡＰ画面（地図画面）５２に移行する。このＭＡＰ画面は、地図画像作成サーバ１６が作成する。また、応募先の電話番号を確認したい場合は、応募先電話番号確認画面５４（図４参照）を表示させる。また、応募メールを作成したい場合は、応募メール作成画面５５に移行する。なお、応募メールの作成手順については、説明を省略する。また、広告詳細情報画面５１で表示している情報をパソコン（ＰＣ）に転送したい場合は、広告詳細情報転送画面５８（図５参照）に移行する。なお、パソコンへの転送手順については、説明を省略する。なお、上記検索画面４８からは、２次検索方法の画面５０を表示させることができるが、この２次検索方法の画面は、さらに絞込検索を行う場合に用いる画面である。かかる画面内容については、説明を省略する。
【００６１】
なお、上述したデータベースサーバ１５に記憶されている求人企業の名称、求人企業の所在地、求人勤務地の住所、連絡先、各求人企業の募集内容の情報により、本発明に係る求人情報が構成される。また、前記求人企業等の求人情報を記憶するデータベースサーバ１５により、本発明に係る求人情報記憶手段が構成される。また、住所位置情報（ＧＩＳ情報）を記憶するＧＩＳサーバ１４により、本発明に係るＧＩＳ情報記憶手段が構成される。また、求人勤務地絶対位置及び通勤拠点絶対位置を割り出す制御内容を具備するＧＩＳサーバ１４により、本発明に係る絶対位置生成制御手段が構成される。また、通勤拠点絶対位置Ａが中心に配された所定面積の検索対象領域Ｓを生成する制御内容を具備するＧＩＳサーバ１４により、本発明に係る検索対象領域生成制御手段が構成される。また、検索対象領域Ｓ上にある求人勤務地絶対位置Ｂを抽出する制御内容を具備するデータベースサーバ１５により、本発明に係る求人勤務地抽出制御手段が構成される。また、抽出された求人勤務地絶対位置Ｂのうち、選択された移動手段で設定通勤時間内に通勤拠点絶対位置Ａから求人勤務地絶対位置Ｂへ到達することができるかを検証し、到達できる求人勤務地絶対位置Ｂを選定する制御内容を具備するＧＩＳサーバ１４により、通勤拠点から所定移動速度で所定の移動時間内に移動することができる求人勤務地を選定する本発明の通勤可能勤務地選定制御手段が構成される。また、選定した求人勤務地に係る広告データを携帯電話２の表示画面３０で出力させる携帯コンテンツウェブアプリケーションサーバ１２及び携帯電話向コンテンツ変換サーバ１１により、本発明に係る求人情報表示制御手段が構成される。
【００６２】
また、図７に示される内容の住所検索画面４３を携帯電話２の表示画面３０で表示し、求職者に移動手段を選択させるようにした携帯コンテンツウェブアプリケーションサーバ１２及び携帯電話向コンテンツ変換サーバ１１により、本発明に係る移動手段選択制御手段が構成される。
【００６３】
なお、各移動手段の移動平均速度、設定通勤時間、検索対象領域Ｓの面積は、それぞれ適宜変更可能である。また、検索対象領域Ｓに対する通勤拠点絶対位置Ａの位置も上記内容に限定されない。
【図面の簡単な説明】
【００６４】
【図１】求人情報検索システム１の概要図である。
【図２】携帯電話２の表示画面３０で表示される画面内容の説明図である。
【図３】図２から続く、携帯電話２の表示画面３０で表示される画面内容の説明図である。
【図４】図２から続く、携帯電話２の表示画面３０で表示される画面内容の説明図である。
【図５】図２から続く、携帯電話２の表示画面３０で表示される画面内容の説明図である。
【図６】住所検索画面４３の具体的態様を示す説明図である。
【図７】図６に示す画面の次画面であって、住所検索画面４３の具体的態様を示す説明図である。
【図８】検索結果一覧画面４９の具体的態様を示す説明図である。
【図９】広告詳細情報画面５１の具体的態様を示す説明図である。
【図１０】駅検索画面４４の具体的態様を示す説明図である。
【図１１】図１０に示す画面の次画面であって、駅検索画面４４の具体的態様を示す説明図である。
【図１２】路線検索画面４５の具体的態様を示す説明図である。
【図１３】図１２に示す画面の次画面であって、路線検索画面４５の具体的態様を示す説明図である。
【図１４】図１３に示す画面の次画面であって、路線検索画面４５の具体的態様を示す説明図である。
【図１５】各サーバに記憶されているデータを示す図表である。
【図１６】検索対象領域Ｓを示す概念図である。
【符号の説明】
【００６５】
１  求人情報検索システム
２  携帯電話
５  インターネット
１１  携帯電話向コンテンツ変換サーバ
１２  携帯コンテンツウェブアプリケーションサーバ
１４  ＧＩＳサーバ
１５  データバースサーバ
３０  表示画面
Ａ  通勤拠点絶対位置
Ｂ  求人勤務地絶対位置
Ｓ  検索対象領域
ｘ  緯度
ｙ  経度
【図１】
2008090614.tif 000003
【図２】
2008090614.tif 000004
【図３】
2008090614.tif 000005
【図４】
2008090614.tif 000006
【図５】
2008090614.tif 000007
【図６】
2008090614.tif 000008
【図７】
2008090614.tif 000009
【図８】
2008090614.tif 000010
【図９】
2008090614.tif 000011
【図１０】
2008090614.tif 000012
【図１１】
2008090614.tif 000013
【図１２】
2008090614.tif 000014
【図１３】
2008090614.tif 000015
【図１４】
2008090614.tif 000016
【図１５】
2008090614.tif 000017
【図１６】
2008090614.tif 000018